(57)【要約】【課題】隣室から入射する不要な赤外線信号を遮断して、混信を防止することができる赤外線受信器を提供する。【解決手段】カバー３のドーム部３１内面に特定の方向から発信された赤外線信号のみを受信センサ４に入射させ、それ以外の方向から発信された赤外線信号を遮蔽する遮蔽フィルター６を設ける。【選択図】  図３
2004159236.tif 000002
【特許請求の範囲】
【請求項１】
赤外線信号を受信する受信センサを有する受信器本体と、上記受信センサを覆うように上記受信器本体に取り付けられ、特定の赤外線波長を透過させ、それ以下の波長光線を遮断する赤外線フィルターを有するカバーとを備える赤外線受信器において、
上記カバーには、特定の方向から発信された上記赤外線信号のみを上記受信センサに入射させ、それ以外の方向から発信された上記赤外線信号を遮蔽する遮蔽フィルターが設けられていることを特徴とする赤外線受信器。
【請求項２】
上記遮蔽フィルターは、上記カバーに対して貼着自在なシート片からなる請求項１に記載の赤外線受信器。
【請求項３】
上記遮蔽フィルターは、上記カバーに沿って回転もしくはスライド可能に取り付けられている請求項１に記載の赤外線受信器。
【請求項４】
上記遮蔽フィルターの上記受信センサに対向する面には、鏡面処理が施されている請求項１，２または３に記載の赤外線受信器。
【発明の詳細な説明】
【０００１】
【発明の属する技術分野】
本発明は、赤外線送信器から送り出された赤外線信号を受信するための赤外線受信器に関し、さらに詳しく言えば、特定方向から入射する赤外線信号を遮蔽することができる赤外線送信器に関する。
【０００２】
【従来の技術】
赤外線を利用したコードレス通信システムを応用したもののひとつにマイクロホンシステムがある。赤外線通信を利用したマイクロホンシステムは、マイクロホン側に内蔵された赤外線送信器から赤外線信号を発信し、アンプ側に設けられた赤外線受信器でその赤外線信号を受信することで、コードレス化が可能となっている。
【０００３】
赤外線は、電波式とは異なり、壁などの障害物によって信号を簡単に遮断できる。そこで、この赤外線コードレスマイクロホンは、ひとつのフロアにいくつもの部屋を備えた例えばカラオケボックスなどに好適に用いられている。
【０００４】
図６に赤外線マイクロホンシステムを使用したカラオケボックスの使用例を示す。このカラオケボックスにおいては、通路Ｉを挟んで左右に配置された部屋Ｒ１，Ｒ２を備えており、その各部屋Ｒ１，Ｒ２はそれぞれ周囲を壁Ｗによって囲まれている。
【０００５】
各部屋Ｒ１，Ｒ２の内部には、カラオケ用のモニターやアンプ機材などが収納されたキャビネットＣがそれぞれ配置されている。この例では、キャビネットＣの上部位置に赤外線マイクロホンＭから発信された赤外線信号を受信するための赤外線受信器１が設置されている。なお、壁の高い所や天井などに赤外線受信器１が設置されることもある。
【０００６】
部屋Ｒ１，Ｒ２のほぼ全体が壁Ｗによって仕切られている場合には、マイクロホンＭから発せられた赤外線信号は隣室の赤外線受信器１に飛び込むことがなく、互いの干渉を簡単に防止できる。
【０００７】
【発明が解決しようとする課題】
しかしながら、図６に示すように、最近のカラオケボックスの多くは、もっぱら防犯上の目的から各部屋Ｒ１，Ｒ２の通路Ｉ側の壁Ｗに室内の一部が見渡せる窓１００が設けられている。
【０００８】
そのため、例えば一方の部屋Ｒ１の窓１００の側にマイクロホン１が位置した場合、マイクロホン１から発せられた赤外線信号が窓１００から通路Ｉに飛び出し、他方の部屋Ｒ２の窓１００から同部屋Ｒ２の赤外線受信器１に飛び込むことがあり、赤外線信号が混信して演奏が妨害されることがあった。
【０００９】
また、上述した窓１００の代わりに入退室用のドアＤをガラス張りにしたものもあり、このような場合も、ドアＤ際でマイクロホンＭを使用すると同様の現象を起こすおそれがあった。
【００１０】
そこで、本発明は上述した課題を解決するためになされたものであって、その目的は、隣室などから入射する不要な赤外線信号を遮断して、混信を防止することができる赤外線受信器を提供することにある。
【００１１】
【課題を解決するための手段】
上述した目的を達成するため、本発明は、赤外線信号を受信する受信センサを有する受信器本体と、上記受信センサを覆うように上記受信器本体に取り付けられ、特定の赤外線波長を透過させ、それ以下の波長光線を遮断する赤外線フィルターを有するカバーとを備える赤外線受信器において、上記カバーには、特定の方向から発信された上記赤外線信号のみを上記受信センサに入射させ、それ以外の方向から発信された上記赤外線信号を遮蔽する遮蔽フィルターが設けられていることを特徴としている。
【００１２】
これによれば、例えば隣接した部屋の窓側から入射する不要な赤外線を遮蔽フィルターでカットすることができ、自室のマイクロホンからの発信された赤外線信号のみを確実に受信することができる。
【００１３】
上記遮蔽フィルターは、上記カバーに対して貼着自在なシート片からなることが好ましく、より具体的な構成として、上記カバーに沿って回転もしくはスライド可能に取り付けられていることがよい。
【００１４】
一方、赤外線受信器内に入射してくる赤外線信号を効果的に捕捉するため、上記遮蔽フィルターの上記受信センサに対向する面には、鏡面処理が施されていることが好ましい。
【００１５】
【発明の実施の形態】
次に、本発明の実施形態について図面を参照しながら説明する。図１は本発明の一実施形態に係る赤外線受信器の斜視図であり、図２はその分解斜視図であり、図３は要部断面図である。
【００１６】
この赤外線受信器１０は、例えばマイクロホンなどに組み込まれた赤外線送信器（図示しない）から送り出された赤外線信号を受信する受信センサ４を有する受信器本体２と、受信センサ４を覆うように受信器本体２に取り付けられ、特定の赤外線波長を透過させ、それ以下の波長光線を遮断する赤外線フィルターを有するカバー３とを備えている。
【００１７】
受信器本体２は、例えばＡＢＳ樹脂などの成型品からなり、内部が船底状に凹まされている。受信器本体２の凹部には、ほぼ中央に受信センサ４を有する回路基板２１が設置されている。
【００１８】
回路基板２１には、受信センサ４に捕らえられた赤外線信号をアナログ信号に変換する各種変換回路（図示しない）や、受信信号をケーブル２２を介して外部機器へと送り出すための信号端子２３およびＧＮＤ端子２４などが設けられている。
【００１９】
受信センサ４は、回路基板２１に実装された例えばホトダイオードからなる受光部４１と、同受光部４１上に載置された集光レンズ４２とを備えている。受光部４１は、ホトダイオードから構成されているが、これ以外に赤外線信号を受光可能なものがあれば適宜選択される。
【００２０】
集光レンズ４２は、合成樹脂製の半球ドーム状を有する魚眼レンズからなり、３６０°全方位から入射する赤外線信号を受光部４１に集光する。なお、本発明において、集光レンズ４２は任意的な構成要素である。
【００２１】
回路基板２１上にはさらに、受信センサ４に電磁波が飛び込むのを防止するための電磁シールド５が設けられている。電磁シールド５は、金属メッシュを半球ドーム状に形成したものからなり、受信センサ４全体を覆い隠すように回路基板２１上に設置されている。なお、電磁シールド５は本発明において任意的な構成要素である。
【００２２】
カバー３は、合成樹脂製の成型品からなり、受信器本体２の上面に嵌合可能に形成されている。図３に示すように、カバー３には、受信センサ４に沿って半球ドーム状に突設されたドーム部３１が一体成形されており、これにともない他方の面が凹まされている。
【００２３】
カバー３は、透明なベース樹脂に対して、赤外線波長を透過し、それ以下の光線波長を遮断する特殊顔料を配合したいわゆる赤外線フィルターとされている。
【００２４】
この実施形態において、カバー３の赤外線フィルターは、樹脂に顔料を配合して得られているが、これ以外に赤外線フィルター効果を有する樹脂フィルムもしくは塗料を貼付もしくは塗布してもよく、フィルター効果が得られるものであれば適宜選択できる。
【００２５】
図２および図３に示すように、ドーム部３１の内面側には、特定方向（図３では右斜め上方向；例えば隣室からの赤外線信号が飛び込んでくる方向）から受信センサ４に入射する赤外線信号を遮蔽する遮蔽フィルタ６が設けられている。
【００２６】
遮蔽フィルタ６は、図４（ａ）に示すように、例えばアルミ箔などのシート片を打ち抜き加工したものからなり、全体がドーム部３１の内周面に沿って貼着しやすいように丸形状に形成されている。この遮蔽フィルタ６の一方の面、すなわちドーム部３１への貼付面側には貼付用の粘着面が形成されている。
【００２７】
この実施形態において、遮蔽フィルタ６は、アルミ箔などから構成されているが、少なくとも赤外線信号を透過しない素材であれば適宜選択して使用することができる。また、遮蔽フィルタ６はドーム部３１の外面に貼り付けてもよい。
【００２８】
遮蔽フィルタ６には、所定角度をもってＶ字状の切欠溝６２が設けられており、切欠溝６２を介して貼着片６１が放射状に複数、この実施形態では８カ所設けられている。
【００２９】
遮蔽フィルタ６の中央には、環状のミシン目からなる切断部６３が設けられている。これにより、中心で連結されている各貼着片６１が切断部６３に沿って各々が切り離し可能になっている。
【００３０】
すなわち、図４（ｂ）に示すように、受信センサ４に入射する赤外線信号の約半分（１８０°の範囲）を遮蔽するためには、切断部６３に沿って半分の貼着片６１を切り離し、残った部分をドーム部３１内面に貼り付けるだけで、ドーム部３１の入射面のうち約半分を簡単にマスキングすることができる。
【００３１】
この実施形態において、遮蔽フィルタ６は切欠溝６２を介して８カ所に形成されているが、より遮蔽範囲を細かく設定したい場合には、さらに細かく分断してもよいし、またハサミなどを使って任意の大きさに切断して使用してもよい。
【００３２】
この遮蔽フィルタ６の他方の面、すなわち受信センサ４に対向する側の面には、鏡面処理が施されている。これによれば、ドーム部３１を通過してきた赤外線信号が遮蔽フィルタ６の鏡面部に反射し、赤外線信号が確実に受信センサ４に集められる。
【００３３】
この実施形態において、鏡面処理はアルミ製フィルムの光沢面側を用いているが、これ以外に樹脂フィルムなどの金属スパッタなどによって薄膜を形成する方法などが採用されてもよい。
【００３４】
次に、遮蔽フィルタの変形例について、図５（ａ）および（ｂ）を参照して説明する。この遮蔽フィルタ７は、合成樹脂の成型品からなり、カバー３のドーム部３１を覆うように設けられるドームカバー７１と、同ドームカバー７１の周縁に形成されたフランジ部７２とを備えている。
【００３５】
ドームカバー７１は、カバー３のドーム部３１に沿って半球ドーム状に形成されており、その一部（図５（ａ）では塗りつぶし部分）には、例えば金属蒸着膜からなる赤外線信号を遮蔽する遮蔽部７１１が設けられている。
【００３６】
その他の部分（図５（ａ）では非塗りつぶし部分）は赤外線信号を透過する非遮蔽部７１２となっている。なお、非遮蔽部７１２は、単にドームカバー７１の一部を切り欠いて形成してもよい。
【００３７】
フランジ部７２は、ドームカバー７１の周縁から所定幅を持ってほぼ水平に園設されており、カバー３のドーム部３１周縁に形成されたスライド溝３２内に収納されている。これによれば、遮蔽フィルタ７がドーム部３１の頂部を中心に回転可能となり、設置場所に応じて赤外線信号の入射方向を任意に設定することができる。このような態様も本発明に含まれる。
【００３８】
この実施形態において、遮蔽フィルタ７はドーム部３１に回転可能に設けられているが、ドーム部３１が単なる箱状に形成されている場合には、遮蔽フィルタ７をカバー３に対してスライド可能に設けてもよい。また、遮蔽フィルタ７はドーム部３１の内面側に設けてもよい。
【００３９】
【発明の効果】
以上説明したように、本発明によれば、赤外線信号を受信する受信センサを有する受信器本体と、上記受信センサを覆うように上記受信器本体に取り付けられ、特定の赤外線波長を透過させ、それ以下の波長光線を遮断する赤外線フィルターを有するカバーとを備える赤外線受信器であって、カバーに特定の方向から発信された赤外線信号のみを受信センサに入射させ、それ以外の方向から発信された上記赤外線信号を遮蔽する遮蔽フィルターを設けたことにより、外部から飛び込んでくる不要な赤外線信号を簡単に排除することができる。
【図面の簡単な説明】
【図１】本発明の一実施形態に係る赤外線受信器の斜視図。
【図２】上記実施形態の赤外線受信器の分解斜視図。
【図３】上記実施形態の赤外線受信器の要部断面図。
【図４】遮蔽フィルタの正面図および使用状態図。
【図５】遮蔽フィルタの変形例を示す平面図および要部断面図。
【図６】従来の受信器の問題点を説明するための説明図。
【符号の説明】
１，１０  赤外線受信器
２  受信器本体
３  カバー
３１  ドーム部
４  受信センサ
４１  受光部
４２  集光レンズ
５  電磁シールド
６，７  遮蔽フィルタ
６１  貼着片
６２  切欠部
６３  切断部
７１  フィルタ部
７２  フランジ部
【図１】
2004159236.tif 000003
【図２】
2004159236.tif 000004
【図３】
2004159236.tif 000005
【図４】
2004159236.tif 000006
【図５】
2004159236.tif 000007
【図６】
2004159236.tif 000008